(57)【特許請求の範囲】
【請求項１】
撮影画像を確認するビューファインダとビデオカメラ本体に対して開閉可能に構成された画像表示装置とを備えたビデオカメラであって、
前記画像表示装置を前記ビデオカメラ本体に閉合した際、前記ビデオカメラ本体側の閉合部位に、前記画像表示装置の開閉に連動して回動する回動板を有し、
前記回動板はその回動方向に広がりを持つカバー部材を有し、このカバー部材が少なくとも通気性材料で構成されるとともに、前記ビデオカメラ本体側の前記閉合部位の内側にスピーカが配置されることを特徴とするビデオカメラ。
【請求項２】
前記画像表示装置が開いた際、少なくとも前記画像表示装置および前記ビデオカメラ本体間の電気的コネクタ覆い隠すことができるように構成されたことを特徴とする請求項１に記載のビデオカメラ。
【発明の詳細な説明】
【０００１】
【発明の属する技術分野】
本発明は、画像表示装置を備えたビデオカメラ、特にＶＴＲ一体型ビデオカメラに関する。
【０００２】
【従来の技術】
近年、この種のビデオカメラにおいてビデオカメラ本体の小型化により、撮影または再生画の操作を行う操作スイッチ類の配置場所が限定されてきている。たとえば、図１２に示されるように画像表示部４２を備えた開閉自在な画像表示装置４３が、ビデオカメラ本体４０上の固定された外装面４１に配設される場合がある。なお、画像表示装置４３は、ビデオカメラ本体４０に収納された際に外装面４１に対面するようになっている。
【０００３】
また、画像表示装置４３とビデオカメラ本体４０をつなぐ連結部４５の付近に、両者を電気的に接続する電線４６（図１２）を配置する必要がある。電線４６が外観部に見えてしまうことがあるため、このような場合、電線４６を黒などの目立たない色にするか、または図１１のように新規の目隠し部材４７で覆い隠すようにしていた。
【０００４】
また、高密度に実装されたビデオカメラ内部は、空気の対流が起こりづらい。電気消費による各部品の発生する熱を効果的に外気と接触させて、放熱による温度降下を図るために、銅やアルミなどの伝熱部材を外装カバーなどに接触させていた。
【０００５】
また、図１１のように音声の再生のために使用するスピーカ４９をビデオカメラ本体４０の内部に配置する場合がある。この場合、スピーカ４９で発生する音を外部に伝えるために、ビデオカメラ本体４０の外装面に空気の抜ける穴４８を設けていた。
【０００６】
【発明が解決しようとする課題】
上述したような従来技術では、図１３においてビデオカメラ本体４０上の画像表示部４２または４４を見て撮影を行ったり、再生画を確認したりしながら各操作キーを操作する。この場合、各画像表示部４２または４４が、外装面４１（操作キーパネル）と垂直に配置されているので、操作キーの位置を確認するために視線を横方向にずらして操作しなければならない。
【０００７】
図１２の画像表示装置４３をビデオカメラ本体４０に対して回動させると、画像表示装置４３とビデオカメラ本体４０を電気的に接続する電線４６などが露呈し、外観品位が悪くなることがある。前述したように電線４６を隠すためだけに、図１１のような目隠し部材４７を追加しなければならない。
【０００８】
さらに、小型化したビデオカメラ本体４０の内部で、放熱のための伝熱部材を引き回すのは実質的に困難である。また、スピーカ４９の音を外部に伝えるために、外装面４１に穴４８を空けているため、そのままでは外観品位が悪い等の問題があった。
【０００９】
本発明はかかる実情に鑑み、操作スイッチ類の操作性の向上を図り、放熱性および外観品位等に優れたビデオカメラを提供することを目的とする。
【００１０】
【課題を解決するための手段】
本発明のビデオカメラは、撮影画像を確認するビューファインダとビデオカメラ本体に対して開閉可能に構成された画像表示装置とを備えたビデオカメラであって、前記画像表示装置を前記ビデオカメラ本体に閉合した際、前記ビデオカメラ本体側の閉合部位に、前記画像表示装置の開閉に連動して回動する回動板を有し、前記回動板はその回動方向に広がりを持つカバー部材を有し、このカバー部材が少なくとも通気性材料で構成されるとともに、前記ビデオカメラ本体側の前記閉合部位の内側にスピーカが配置されることを特徴とする。
【００１４】
また、本発明のビデオカメラにおいて、前記画像表示装置が開いた際、少なくとも前記画像表示装置および前記ビデオカメラ本体間の電気的コネクタ部を覆い隠すことができるように構成されたことを特徴とする。
【００１７】
本発明によれば、ビデオカメラ本体上の画像表示部を確認しながら各種操作スイッチを操作する際のスイッチ類の視認性が向上し、ビデオカメラの操作性が向上する。また、傾斜した回動面側面を通気性、熱伝導性の良い部材で構成することで、ビデオカメラ内部の温度上昇の軽減を図るとともに、内部のスピーカの音を効率的かつ美観を損なわずに外部に伝えることが可能となる。さらに、ビデオカメラ本体と画像表示部を電気的につなぐ電線などを、別部材を使うことなく隠すことができるので、部品点数の削減とビデオカメラの品位の向上が可能となる。
【００１８】
【発明の実施の形態】
以下、図面に基き、本発明によるビデオカメラの好適な実施の形態を説明する。
（第１の実施形態）
図１および図２は本発明を最も良く説明した図であり、図において１はビデオカメラ本体、２は撮像用のビデオレンズ、３はビデオカメラ本体１の側面に設けられた画像表示装置である。この画像表示装置３は連結部7によってビデオカメラ本体１に連結支持され、水平方向および連結部7を中心とした水平方向を軸とした方向に、それぞれ回動および回転可能に支持されている。４は画像表示装置３上に設置された画像表示部であり、主に液晶表示装置（以下、ＬＣＤパネルと呼ぶ）が使用されている。
【００１９】
５は画像表示装置３をビデオカメラ本体１に収納した際にこの画像表示装置３の一面と相対するように構成された回動板であり、画像表示装置３の開閉に連動して回動するビデオカメラ本体１側の閉合部位に配置される。この回動板５には、撮影または再生を行う際の各処理制御用の操作スイッチ類１００が配設され、かつビデオカメラ本体１に軸８を介して回動自在に取り付けられており、画像表示装置３の開閉動作に連動して矢印ａ方向に回動する。
【００２０】
６はビデオカメラ本体１上に設置された第２の画像表示装置（以下、ＥＶＦと呼ぶ）である。ビデオカメラの使用者は、撮影または撮影された映像を再生して確認する際、ＥＶＦ６またはＬＣＤパネル４で撮影画像または再生画像を確認しながら撮影または再生を行うことができる。使用者は各画像を確認しながら、回動板５上の操作スイッチ類１００を操作する。このとき図２から明かなように、ＬＣＤパネル４またはＥＶＦ６を正面から見ながらでも、操作スイッチ類１００の位置を判別することができるため、操作し易くしかもその操作を的確に行なうことができる。
【００２１】
図３、図４および図５は、本発明の構造を説明した部分断面図であり、図において９は回動板５が外部からの力で閉じてしまわないように固定する部材、１０はビデオカメラ本体１に設けられた画像表示装置３の回動を制御する軸、１１は画像表示装置３の回動に連動し、かつ固定部材９を移動させるための規制部材、１２は固定部材９が規制部材１１から力を受けていないときに、所定の位置に留めておくためのバネ（引張りスプリング）、１３は回動板５の開き角度を規制する部材、１４は軸８を中心にして回動板５をビデオカメラ本体１から離れる方向に回動するように付勢するバネ（ねじりスプリング）である。
【００２２】
図３は、画像表示装置３をビデオカメラ本体１に収納したときの状態を示している。このとき回動板５は、ビデオカメラ本体１上の画像表示装置３に相対する面に収納される。図４は、図３の位置より画像表示装置３をビデオカメラ本体１から離れる方向に任意の角度だけ回動したときの図である。この際、固定部材９は規制部材１１に押され、かつバネ１２から力を受けながら移動する。また、画像表示装置３の回動に連動して、回動板５が回動する。図５は画像表示装置３が９０°開き切った状態であり、回動板５は規制部材１３に規制される位置まで開く。そのとき規制部材１１によって移動した固定部材９によって、回動板５は外部からの力で閉じないようになる。
【００２３】
また、回動板５が上記のように回動することで、すでに図１２あるいは図１３に示したように画像表示装置４３とビデオカメラ本体４０を電気的につなぐ電線４６（電気的コネクタ部）を覆い隠すことができる。
【００２４】
以上のように撮影中の撮影画像の確認または撮影映像の再生画の確認をしながら、各種操作スイッチを操作する。その際に操作スイッチ類１００の配設された面がビデオカメラ本体１に対して傾斜して配置されるため、操作スイッチ類１００の視認性が向上し、ビデオカメラの操作性が向上する。また、操作スイッチ類１００の配設された面が回動することで、画像表示装置３が開いた際に見える画像表示装置３とビデオカメラ本体１とをつなぐ電線等を、別部材を使うことなく覆い隠すことができる。これにより部品点数の削減とビデオカメラの外観品位の向上が可能となる。
【００２５】
（第２の実施形態）
つぎに、本発明の第２の実施形態を説明する。
図６は、本発明による第２の実施形態を示すビデオカメラの斜視図であり、図において２０はビデオカメラ本体、２１はビデオカメラ本体２０の側面に設けられた画像表示装置であり、画像表示部２４が配設されている。また、２２は画像表示装置２１をビデオカメラ本体２０に収納した際にこの画像表示装置２１の一面と相対するように構成された回動板であり、画像表示装置２１の開閉に連動して回動するビデオカメラ本体２０側の閉合部位に配置される。なお、回動板２２には、図示を省略したが前述の実施形態で説明した操作スイッチ類１００あるいはそれと同等なものが配設されるようにしてもよい。
【００２６】
また、２３はパンチングメタルなどの空気を容易に通す材料（通気性材料）もしくは熱伝導性の良い材料（熱伝導性材料）で形成された壁部材（あるいはカバー）、２４はビデオカメラ本体２０側の内部に設けられた音声を再生するスピーカである。壁部材２３は回動板２２の回動方向に広がりを持ち、該回動板２２と連動する。そして、回動板２２が開いたときに壁部材２３がビデオカメラ本体２０の内部から外気に触れる位置まで露出する。
【００２７】
以上のように構成することで、回動して傾斜した回動板２２の内側に空間ができ、外気との空気の対流が起こり易くなる。これによりビデオカメラの内部温度の上昇が軽減され、その結果放熱のための伝熱部材等を削減することができる。さらに、以上のような構成により外部に音の振動を伝えることができるので、内部のスピーカの音を効率的、かつ美観を損なわずに外部に伝えることができる。
【００２８】
（第３の実施形態）
つぎに、本発明の第３の実施形態を説明する。
図７〜図１０は、本発明による第３の実施形態におけるビデオカメラの斜視図であり、図において５０はビデオカメラ本体、５１はビデオカメラ本体５０の側面に設けられた画像表示装置であり、画像表示部５３が配設されている。また、５２は撮影または再生を行う際の各処理制御用の操作スイッチ類２００が配設された操作スイッチパネルであり、この操作スイッチパネル５２は、画像表示装置５１の開閉動作（矢印Ｂ）に連動して、矢印ｂ方向に回動する。
【００２９】
ここで、図７は画像表示装置５１がビデオカメラ本体５０に収納された状態の図、また図８は画像表示装置５１が開いた状態の図である。このとき操作スイッチパネル５２は、図７のように画像表示装置５１がビデオカメラ本体５０に収納されている場合には閉じており、画像表示装置５１が開いたときには、図８のように開いた状態となる。
【００３０】
図９および図１０は本発明の構造を説明した部分断面図であり、図９は画像表示装置５１がビデオカメラ本体５０に収納された状態の図、図１０は画像表示装置５１が開いた状態の図である。図において、５４はビデオカメラ本体５０に取り付けられた画像表示装置５１の回動を制御する軸、５５は操作スイッチパネル５２の回動の中心となる軸、５６は軸５５を中心に操作スイッチパネル５２をビデオカメラ本体５０から離れる方向に回動するように付勢するバネ（ねじりスプリング）である。
【００３１】
上記構成により、画像表示装置５１がビデオカメラ本体５０に収納されている状態では、操作スイッチパネル５２はビデオカメラ本体５０の内部に収納されている。この状態から画像表示装置５１を矢印Ｂ方向に回動させると、操作スイッチパネル５２は付勢バネ５６によって、軸５５を中心に矢印ｂ方向に回動する。そして、操作スイッチ類２００がビデオカメラ本体５０の外観面に現れる。
【００３２】
以上のように撮影中の撮影画像の確認または撮影映像の再生画の確認をしながら、各種操作スイッチを操作する。その際に操作スイッチ類２００が配設された面が撮影者側に向くようにビデオカメラ本体５０の外観面に現れる。これにより操作スイッチ類２００の視認性が向上し、ビデオカメラの操作性が向上する。
【００３３】
【発明の効果】
以上説明したように本発明によれば、この種のビデオカメラにおいて操作スイッチ類の配設された面がビデオカメラ本体に対して傾斜して配置されることで、操作スイッチ類の視認性が向上し、円滑かつ的確に操作することができる。また電気的コネクタ部を別部材を使うことなく覆い隠すことができるため、部品点数を削減するとともに外観品位を向上することができる等の利点を有している。
【図面の簡単な説明】
【図１】本発明を最もよく表すビデオカメラの外観斜視図である。
【図２】本発明を最もよく表すビデオカメラの外観後方図である。
【図３】本発明による機構部分を説明する断面図である。
【図４】本発明による機構部分を説明する断面図である。
【図５】本発明による機構部分を説明する断面図である。
【図６】本発明による第２の実施形態を示すビデオカメラの外観斜視図である。
【図７】本発明による第３の実施形態を示すビデオカメラの外観斜視図である。
【図８】本発明による第３の実施形態を示すビデオカメラの外観斜視図である。
【図９】本発明による第３の実施形態における機構の断面図である。
【図１０】本発明による第３の実施形態における機構の断面図である。
【図１１】従来例を示すビデオカメラの外観斜視図である。
【図１２】従来例を示すビデオカメラの外観斜視図である。
【図１３】従来例を示すビデオカメラの外観斜視図である。
【符号の説明】
１，２０，５０    ビデオカメラ本体
２    撮像レンズ
３，２１，５１    画像表示装置
４，２４，５３    画像表示部
５，２２    回動板
６    画像表示部
７    連結部
８，５５    開閉軸
９    固定部材
１０，５４    回動制御軸
１１    規制部材
１２    バネ
１３    角度規制部材
１４，５６    開閉用バネ
２３    壁部材
２５  スピーカ
１００    操作スイッチ類
【図１】
0004006201.tif 000002
【図２】
0004006201.tif 000003
【図３】
0004006201.tif 000004
【図４】
0004006201.tif 000005
【図５】
0004006201.tif 000006
【図６】
0004006201.tif 000007
【図７】
0004006201.tif 000008
【図８】
0004006201.tif 000009
【図９】
0004006201.tif 000010
【図１０】
0004006201.tif 000011
【図１１】
0004006201.tif 000012
【図１２】
0004006201.tif 000013
【図１３】
0004006201.tif 000014